(57)【要約】      （修正有）【課題】全体としての構造強度がよく、簡単に屑紙を紙ブロックに圧縮でき、圧縮を行う時、本体が変形や断裂することなく、より良い耐用性や耐用寿命が得られる屑紙圧縮器を提供する。【解決手段】本体と底座、圧縮座、第一握り部及び第二握り部が備えられる。本体は、断面がほぼ凵状である底板と、左、右両側板とを結合してからなり、底板の底面に、中空部があり、前後面の上端に、外へ折り返された補助片があり、左、右側板の下端に、脚座が設置される。底座は、本体内に設置され、排水孔が配列された底板の両端から、それぞれ、上へ渡り板が伸び、圧縮座は、本体内に嵌設され、その両端の近くにおいて、上方に、それぞれ、推し圧棒が突出する。第一、二握り部分は、それぞれ、本体の両端の上方に枢着される。【選択図】図１
0003155509.tif 000002
【実用新案登録請求の範囲】
【請求項１】
断面が、ほぼ凵状である底板と左右両側板とを結合してからなり、底板の底面に中空部があり、左右側板の下端に脚座が設けられる本体と、
排水孔が配列され、両端から、本体内に固定される上へ渡り板が伸びる底座と、
本体内に貫設され、両端の近くにおいて、上方に、それぞれ、突出する推し圧棒が設置される圧縮座と、
本体の一端の上方に枢着される第一握り部と、
本体のもう一端の上方に枢着され、第一握り部に合わせて、交互に圧縮座の推し圧棒を下へ圧しえる第二握り部と、
が含有される、
ことを特徴とする屑紙圧縮器。
【請求項２】
本体は、断面がほぼ凵状である底板と左右両側板が、リベットにより固定されることを特徴とする請求項１に記載の屑紙圧縮器。
【請求項３】
本体底板の底面には、複数の中空部が設置され、また、底面の前後側に、推し圧部が形成され、両推し圧部の間に、複数の片状の支持条が形成されることを特徴とする請求項１に記載の屑紙圧縮器。
【請求項４】
本体底板の前後面の上端には、外へ折り返された補助片が設置されることを特徴とする請求項１に記載の屑紙圧縮器。
【請求項５】
本体底板の前後面の両端の上方には、それぞれ、軸穴が貫設されることを特徴とする請求項１に記載の屑紙圧縮器。
【請求項６】
本体の左右側板の上端には、外へ折り返された抵当部が形成されることを特徴とする請求項１に記載の屑紙圧縮器。
【請求項７】
底座の両端にある渡り板は、逆Ｌ文字状であることを特徴とする請求項１に記載の屑紙圧縮器。
【請求項８】
該渡り板の末端には、湾曲部が形成されることを特徴とする請求項７に記載の屑紙圧縮器。
【請求項９】
圧縮座は、断面が、凵形状にあり、その上に、複数の貫通孔が配列されることを特徴とする請求項１に記載の屑紙圧縮器。
【請求項１０】
圧縮座の底板には、複数の補助リブが形成されることを特徴とする請求項１に記載の屑紙圧縮器。
【請求項１１】
第一、二握り部は、幅が異なる冂形状棒体であり、中段に、付勢部が形成され、両端に、対応する枢着孔が設けられることを特徴とする請求項１に記載の屑紙圧縮器。
【請求項１２】
第一、二握り部は、軸棒により、本体に枢着されることを特徴とする請求項１に記載の屑紙圧縮器。
【考案の詳細な説明】
【技術分野】
【０００１】
本考案は、圧縮器具に関し、特に、回収された屑紙を、簡単に紙ブロックに圧縮して、再利用できる屑紙圧縮器に関する。
【背景技術】
【０００２】
一般の、木を燃焼する壁付暖炉や野営のたき火パーティ及びバーベキュー等は、火を焚くことが必要であり、火を焚くことは、一定の困難や手配が要るため、多い人が、それに困っている。また、一般家庭の屑紙回収は、回収体制を介して、製紙工場で再生紙に作製することができるが、自分で、簡単なＤＩＹにより再利用できなく、屑紙回収の成果が良くないため、業者により、簡単に屑紙を紙ブロックにすることができる屑紙圧縮器が開発され、これにより、屑紙は、一般の人でも、簡単に、自分でＤＩＹにより火を焚くことができる助燃物や直接に燃料とすることができる。
【０００３】
本考案者により考案された台湾実用新案第０９６２０５６８５号の屑紙圧縮器は、前後左右側板から構成されて底側から下へ脚座が突出した本体と、本体内に固定され、排水孔が配列された底板の両端から上へ渡り板が伸びる底座と、本体内に嵌設され、その底板と両側板に複数の貫通孔が形成され、両端の近くにおいて、上方に、それぞれ、推し圧棒が突出する圧縮座と、本体の一端の上方に枢着される第一握り部と、本体のもう一端の上方に枢着され、第一握り部に合わせて、交互に圧縮座の推し圧棒を下へ圧しえる第二握り部と、が含有される。
【０００４】
しかしながら、上記の屑紙圧縮器は、濡れた屑紙（木の屑や他の燃焼可能の回収材）を簡単に紙ブロックに圧縮でき、紙ブロックが乾燥した後、火を焚く助燃物や直接に燃料とすることができ、屑紙回収の成果や再利用が改善されるが、その本体が、前後左右の側板をリベットにより固定され、下端が、完全に中空状で、両支持部だけで、底座を支持し、また、上端において、圧縮座の両推し圧棒に対応する位置に補助構造がないため、圧縮を行う時、両支持部が、容易に、下へ押さえる力により、外へ変形し、また、圧縮座の推し圧棒が、容易に、本体の上端に対する圧迫により、凹み変形し、最悪の場合、断裂に至り、そのため、耐用性が良くなく、耐用寿命が低下される。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、その本体の断面がほぼ凵状である底板と、左右両側板とを結合してからなり、前後面の上端に、補助片が設置され、全体としての構造強度がよく、簡単に屑紙を紙ブロックに圧縮でき、圧縮を行う時、本体が変形や断裂することなく、より良い耐用性や耐用寿命が得られる屑紙圧縮器を提供する。
【０００７】
本考案の他の目的は、全体としての構造強度がよく、圧縮を行う時、本体が変形や断裂することなく變形或撕裂、より良い耐用性や耐用寿命が得られる屑紙圧縮器を提供する。
【課題を解決するための手段】
【０００８】
本考案に係る屑紙圧縮器は、本体と底座、圧縮座、第一握り部及び第二握り部が備えられ、その本体は、断面がほぼ凵状である底板と、左右両側板とを結合してからなり、底板の底面に、中空部があり、前後面の上端に、外へ折り返された補助片があり、左右側板の下端に、脚座が設置され、上端に、外へ折り返された抵当部があり、底座は、本体内に設置され、排水孔が配列された底板の両端から、それぞれ、上へ排水孔が配列された逆Ｌ文字状の渡り板が伸び、本体の底板の底面に抵当して左、右側板の抵当部に固定され、圧縮座は、本体内に嵌設され、断面がほぼ凵形状であり、その底板と両側板に、複数の貫通孔が形成され、底板に、複数の補助リブが形成され、両端の近くにおいて、上方に、推し圧棒が突出し、第一、二握り部は、それぞれ、本体の両端の上方に枢着され、これにより、屑紙（木の屑や他の燃焼可能の回収材）を濡らしてから、本体内の底座に設置し、第一、二握り部で、交互に下へ圧縮座の両推し圧棒に付勢すると、圧縮座で、水分が出されて紙ブロックに圧縮されることができる。
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
以下、餘下、図面を参照しながら、本考案のより良い実施例を詳しく説明する。
【００１１】
図１乃至図３を参照しながら、本考案に係る屑紙圧縮器は、本体１と底座２、圧縮座３、第一握り部４及び第二握り部５が含有され、本体１は、断面がほぼ凵状である底板１１と左右両側板１２、１３とがリベットにより固定されることからなり、底板１１の底面に、複数の中空部１１１が形成され、底面の前後側に、推し圧部１１２が形成され、また、両推し圧部１１２の間に、複数の片状の支持条１１３が形成され、そして、底板１１の前後面の上端に、外へ折り返された水平状の補助片１１４が設けられ、両端の上方に、それぞれ、軸穴１１５、１１６が貫設され、左、右側板１２、１３の下端において、対応位置に脚座１２１、１３１が設置され、上端に、外へ折り返された水平状抵当部１２２、１３２が形成され、底座２は、本体１内に収納され、排水孔２１１が配列された底板２１の両端から、それぞれ、上へ排水孔２２１が配列された逆Ｌ文字状の渡り板２２が伸び、底板２１と渡り板２２で、本体１の底板１１の底面と左、右側板１２、１３の抵当部１２２、１３２に抵当して固定され、また、該渡り板２２の横方向の幅が、適当に抵当部１３より広く、また、末端に、手持ちやすい湾曲部２２２が設置され、圧縮座３は、断面が、ほぼ凵形状で、使用する時、本体１内に嵌設され、その底板と両側板に、複数の貫通孔３１が形成され、底板に、複数の横方向の補助リブ３２が設置され、両端の上方に、それぞれ、適当に突出した推し圧棒３３、３４が貫設され、第一、二握り部４、５は、幅が異なる冂形状の棒体であり、中段に、グリップが嵌設された付勢部４１、５１が形成され、両端に、対応する枢着孔４２、５２があり、それぞれ、軸棒６、７で、Ｃリングを合わせて、本体１の底板１１の軸穴１１５、１１６に枢着される。
【００１２】
本考案によれば、図４〜図８のように、圧縮座３を外して、屑紙Ａ（木の屑や他の燃焼可能の回収材）を適当に濡らし、本体１内の底座２に設置してから、圧縮座３を元に設置し、第一、二握り部４、５を互いに交錯して、第一、二握り部４、５の付勢部４１、５１で、下へ圧縮座３の両端にある推し圧棒３３、３４を付勢し、これにより、梃子原理により、圧縮座３を、下へ濡れた屑紙Ａを紙ブロックＡ’に圧縮するように付勢し、搾り出された水が、圧縮座３の貫通孔３１と底座２の排水孔２１１から本体１の底板１１の中空部１１１を介して排出され、圧縮座３が、底まで付勢されると、両端の推し圧棒３３、３４が、本体１の底板１１の前後面の補助片１１４に抵当するようになり、そして、第一、二握り部４、５を開いて、圧縮座３を取り出し、また、両渡り板２２の横方向段を持って、底座２を上へ引き上げ、続いて、上記圧縮されて水分が取られた紙ブロックＡ’を出し、該紙ブロックＡ’を、日照により、或いは、自然風により乾燥された後、便利な助燃物になり、また、直接に、燃料として使用できる。
【００１３】
上記の具体的な実施例の構造によれば、次の利点が得られる。
【００１４】
１、その本体１は、断面がほぼ凵状である底板１１と左、右両側板１２、１３とが結合されることにより構成され、底板１１の底面に、排水のための中空部１１１が設けられ、前後面の上端に、補助片１１４が設置されるため、全体としての構造強度がよく、簡単に、ＤＩＹで、屑紙を利用価値のある紙ブロックに圧縮でき、圧縮することにより、本体１が変形や断裂することなく、より良い耐用性や耐用寿命が得られる。
【００１５】
２、全体としての構造強度が良いため、圧縮することにより、本体１が変形や断裂することなく、よりスムーズに利用できる。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の立体分解図
【図２】本考案の立体組立て図
【図３】本考案の組立て剖面図
【図４】本考案の作動状態の概念図（１）
【図５】本考案の作動状態の概念図（２）
【図６】本考案の作動状態の概念図（３）
【図７】本考案の作動状態の概念図（４）
【図８】本考案の作動状態の概念図（５）
【符号の説明】
【００１９】
１      本体
１１   底板
１１１  中空部
１１２  推し圧部
１１３  支持条
１１４  補助片
１１５  軸穴
１１６  軸穴
１２   左側板
１２１  脚座
１２２  抵当部
１３   右側板
１３１  脚座
１３２  抵当部
２     底座
２１    底板
２１１  排水孔
２２    渡り板
２２１  排水孔
２２２  湾曲部
３      圧縮座
３１    貫通孔
３２    補助リブ
３３    推し圧棒
３４    推し圧棒
４      第一握り部
４１    付勢部
４２    枢着孔
５      第二握り部
５１    付勢部
５２    枢着孔
６      軸棒
７      軸棒
Ａ      屑紙
Ａ’    紙ブロック
【図１】
0003155509.tif 000003
【図２】
0003155509.tif 000004
【図３】
0003155509.tif 000005
【図４】
0003155509.tif 000006
【図５】
0003155509.tif 000007
【図６】
0003155509.tif 000008
【図７】
0003155509.tif 000009
【図８】
0003155509.tif 000010